(57)【要約】    【課題】  簡単且つ経済的に製造することができる高性能を示し、その反射器が、光を反射する材料例えばアルミニウムまたは銀で完全にコーティングされることを必要としない革新的な照明デバイスを提供する。    【解決手段】  照明デバイス(1)は、光源(2)と、光源(2)に近い内側表面(4)と光源(2)から離れている外側表面(5)とを有する透明な材料からなる付属の中空の反射器(3)と、を備える。【選択図】図１
2005123190.tif 000002
【特許請求の範囲】
【請求項１】
光源(2)と、
光源(2)に近い内側表面(4)と光源(2)から離れている外側表面(5)とを有する透明な材料からなる付属の中空の反射器(3)と、を備え、
反射器(3)の内側表面(4)は、光源(2)を通過する少なくとも一つの横断面に、複数の隣接した段差部(6)を形成する不連続な形状を有しており、段差部(6)の各々は、光源(2)から発せられる光線が通り抜ける第一の面(6a)と、光源から発せられる光線と基本的に平行な第二の面(6b)とを有しており、
反射器(3)の外側表面(5)は、前記横断面において一つ以上の弧または曲線(5a、5b)を備える形状を有しており、
前記横断面において、光源(2)によって放射されたほとんどの光線が、その内側表面(4)にある前記段差部(6)の第一の面(6a)によって反射され、全反射を受けて反射器(3)を通って戻るその外側表面(5)を照らし、第二の屈折を受けるその内側表面(4)上にある前記段差部の第二の面(6b)によって外側に再出現するように反射器(3)が構成され且つ配置されていることを特徴とする照明デバイス(1)。
【請求項２】
反射器(3)の外側表面(5)が、お互いと必ずしも一致しない離心率、焦点および軸を有する連続した円錐のカーブの複数の弧(5a、5b)を備える形状を少なくとも一つの横断面において有することを特徴とする、請求項１記載の照明デバイス。
【請求項３】
反射器(3)は、基本的に、回転楕円面及び／又は放物面及び／又は双曲面の一部分の形状をなしていることを特徴とする、請求項１又は２に記載の照明デバイス。
【請求項４】
反射器(3)は、基本的に、回転楕円面及び／又は放物面及び／又は双曲面の複数の連続した部分の形状をなしていることを特徴とする、請求項１又は２に記載の照明デバイス。
【請求項５】
反射器(3)は、基本的に、実質的に楕円及び／又は放物線及び／又は双曲線の断面を有するトーラスの一部分の形状をなしており、光源(2)は、環状形状をなしているとともに、楕円及び／又は放物線及び／又は双曲線の断面を有するトーラスの焦点の周囲に沿って基本的に位置することを特徴とする、請求項１又は２に記載の照明デバイス。
【請求項６】
反射器(3)は、おおよそ楕円及び／又は放物線及び／又は双曲線の断面を有するトーラスの連続した部分を備える形状をなしており、光源(2)は、環状形状をなしているとともに、楕円及び／又は放物線及び／又は双曲線の断面を有するトーラスに共通の焦点の周囲の上に基本的に位置することを特徴とする、請求項１又は２に記載の照明デバイス。
【請求項７】
反射器(3)は、実質的に楕円及び／又は放物線及び／又は双曲線の断面を有するシリンダの一部分の形状を基本的になしており、光源(2)は、線形形状をなしているとともに、実質的に楕円及び／又は放物線及び／又は双曲線の断面を有するシリンダの焦点の直線に沿って基本的に位置することを特徴とする、請求項１又は２に記載の照明デバイス。
【請求項８】
実質的に楕円及び／又は放物線及び／又は双曲線の断面を有するシリンダの連続した部分の形状を基本的になしており、光源(2)は、線形形状をなしているとともに、実質的に楕円及び／又は放物線及び／又は双曲線の断面を有するシリンダに対する共通の焦点の直線に沿って基本的に位置することを特徴とする、請求項１又は２に記載の照明デバイス。
【請求項９】
楕円及び／又は放物線及び／又は双曲線の断面を有するシリンダの前記部分の各末端での反射器(3)は、基本的に回転楕円面及び／又は放物面及び／又は双曲面の一部分の形状の対応するターミナルの部分(3a、3b)を有しており、回転楕円面及び／又は放物面及び／又は双曲面の前記部分は、二つの末端で楕円及び／又は放物線及び／又は双曲線の断面を有する円筒状部分と連続的に接続されていることを特徴とする、請求項７記載の照明デバイス。
【請求項１０】
楕円及び／又は放物線及び／又は双曲線の断面を有するシリンダの前記部分の各末端での反射器(3)は、基本的に回転楕円面及び／又は放物面及び／又は双曲面の連続した部分の形状の対応するターミナルの部分(3a、3b)を有しており、回転楕円面及び／又は放物面及び／又は双曲面の前記部分は、二つの末端で楕円及び／又は放物線及び／又は双曲線の断面を有するシリンダの前記部分と連続的に接続されていることを特徴とする、請求項８記載の照明デバイス。
【請求項１１】
光源に近い反射器(3)は、遮られていない底開口部(7)を有することを特徴とする、請求項１乃至１０のいずれかに記載の照明デバイス。
【請求項１２】
光源に近い反射器(3)は、透明な底を接続する壁(40)を有することを特徴とする、請求項１乃至１０のいずれかに記載の照明デバイス。
【請求項１３】
光源に近い反射器(3)は、縮閉線形状(8)を有する底閉鎖壁を有することを特徴とする、請求項１乃至１０のいずれかに記載の照明デバイス。
【請求項１４】
縮閉線形状(8)を有する前記閉鎖壁は、その内側表面又は外側表面が光学的な反射材料でコーティングされていることを特徴とする、請求項１３記載の照明デバイス。
【請求項１５】
前記透明な接続壁(40)は、光源(2)に近い内側表面(4)と光源(2)から離れている外側表面(5)とを有しており、
前記内側表面(41)は、光源(2)から発せられる光線が通過する一つ以上の弧及び曲線を備える形状を、光源(2)を通過する横断面に少なくとも有しており、
前記外側表面(42)は、複数の隣接した段差部(43)を形成する不連続な形状を前記横断面に有しており、段差部(43)の各々は、第一の面(43a)及び第二の面(43b)を有しており、第一の面(43a)及び第二の面(43b)の各々は、全反射の効果によって別の面(43b、43a)に向けて光源(2)から発せられる光線を反射することができ、
前記接続壁(40)は、前記横断面において、光源(2)によって放射されたほとんどの光線が内側表面(41)を通って屈折し、前記の段差部(43)の面(43a、43b)で、二重の全反射を受ける外側表面(42)を照らし、接続壁(40)を通って戻った後に第二の屈折を受ける内側表面(41)を通って外側に現れることを特徴とする、請求項１２記載の照明デバイス。
【請求項１６】
前記反射器(3)の外側表面(5)によって反射器(3)の内にある次の多重反射を避けやすくする光の放射の一部分の光学距離を所定の方法で逸らすために、光学要素(103)は反射器(3)の外側に存在することを特徴とする、請求項１乃至１５のいずれかに記載の照明デバイス。
【請求項１７】
前記の光学要素(103)は、透明な材料の壁を備えることを特徴とする、請求項１６記載の照明デバイス。
【請求項１８】
反射器(3)は反射光用の出口開口(9)を有しており、当該出口開口(9)が完全に開いていることを特徴とする、請求項１乃至１７のいずれかに記載の照明デバイス。
【請求項１９】
反射器(3)は、透明又は少なくとも部分的に光線を拡散する閉鎖壁(10)に関連した反射光用の出口開口(9)を有することを特徴とする、請求項１乃至１７のいずれかに記載の照明デバイス。
【請求項２０】
透明な閉鎖壁(10)は、表面の少なくとも一部分に複数のマイクロレンズ(11)を有することを特徴とする、請求項１９記載の照明デバイス。
【請求項２１】
反射器(3)は、反射器(3)の光学軸(O-O)と実質的に平行なフィンのシステムに関連した反射光用の出口開口(9)を有することを特徴とする、請求項１乃至１６のいずれかに記載の照明デバイス。
【請求項２２】
一つの出口の出口開口(9)の輝度は、光学軸(O-O)に関して60°以上の角度に対して200cdm-2未満であることを特徴とする、請求項２１記載の照明デバイス。
【請求項２３】
請求項１乃至２２のいずれかに記載の複数の照明デバイスを備えることを特徴とする照明デバイス。
【発明の詳細な説明】
【技術分野】
【０００１】
本発明は、照明デバイスに関し、詳細には、発光源および付属の反射器を備えるタイプの照明デバイスに関する。
【発明の開示】
【発明が解決しようとする課題】
【０００２】
本発明の一つの目的は、簡単に且つ経済的に製造することができる高性能さを提供し、その反射器が、光を反射する材料、例えばアルミニウムまたは銀で完全にコーティングされることを必要としない革新的な照明デバイスを提供することである。
【０００３】
本発明の他の目的は、その構造が、審美的な観点から見て革新的な解決策の見込みを提供する照明設備を提供することである。
【課題を解決するための手段】
【０００４】
これらおよび他の目的は、以下のものを備える本発明に係る照明デバイスによって達成される。すなわち、本発明に係る照明デバイスは、
光源と、
光源近くの内側表面と光源から離れた外側表面とを有する透明な材料からなる付属の中空の反射器と、備え、
反射器の内側表面は、光源を通過する少なくとも一つの横断面における断面において複数の隣接した段差部を形成する不連続な形状（profile）を有しており、段差部の各々は、光源から発せられる光線が通過する第一の面と、光源から発せられて反射器の外側表面で反射した光線が通過する光源から発せられた光線と実質的に平行な第二の面とを有しており、
反射器の外側表面は、前記の横断面において湾曲した形状を有しており、その形は、照明デバイスから出た光ビームにおいて得ることが望ましい発散（divergence）に実質的に依存しており、
前記の横断面では、光源によって放射された光線が、前記の段差部の第一の面によってその内側表面で屈折し、全反射を受けるその外側表面に当たり、前記の段差部の第二の面を通って内側表面によって戻って通過して、反射器の外部で再出現するように反射器が構成され且つ配置されていることを特徴としている。
【０００５】
前に述べたように、反射器の外側表面の形状は、照明デバイスから出たビームにおいて得ることが望ましい発散および強度分布に基づいて一般に計算される。非常に狭い光分布、すなわち実質的に平行なビームを生成するために、前記の横断面の外側表面の形状は、実質的に、放物線の弧、又は、光源と実質的に一致する焦点を備えた共軸の放物線のいくつかの弧の形状(profile)になるだろう。より広い強度分布のために、外側表面の形状は、実質的に、
1)光源から適切に配置された焦点を備えた放物線の弧と、
2)非共軸の放物線の、及び／又は光源から適切にオフセットされた焦点を備えたいくつかの弧と、
3)楕円または双曲線の一つ以上の弧という形状(profile)であり、２つの円錐曲線（conic section）の選択は、照明デバイスの寸法上の制約に依存する。
【０００６】
同じ形状(profile)における異なった円錐曲線（conic section）の弧の使用のために設けられている配置も想定されている。
【０００７】
反射器の前記の横断面での前記の段差部の頂点を通過する曲線として規定されている、反射器の内側表面上に設けられた段差部のエンベロープ（envelope）は、反射器の外側表面上に段差部を設けることによって得られる。この配置は、反射器厚さの均一性を最大にすることを可能にし、最小のいわゆる縁取り（piping）および材料の収縮によってもたらされた他の変形を低減し、射出成形に起因したものが低減される。
【０００８】
一つの実施態様では、光源を通過する前記の横断面における反射器の外側表面は、楕円の複数の弧を備える形状(profile)を有している。それは、好ましくは、連続しており、異なった離心率を有する。その各々は、その面で光源の幾何学的な中心と実質的に一致する第一の焦点を有している。
【０００９】
他の実施態様では、光源を通過する前記の横断面における反射器の外側表面は、双曲線の複数の弧を備える形状を有している。それは、好ましくは連続しており、異なった離心率を有している。その各々は、その面で光源の幾何学的な中心と実質的に一致する対応する第一の焦点を有している。
【００１０】
他の実施態様では、光源を通過する前記の横断面における反射器の外側表面は、双曲線及び楕円の複数の弧を備える形状を有している。それは、好ましくは互いに交互であり、異なった離心率を有している。その各々は、その面で光源の幾何学的な中心と実質的に一致する対応する第一の焦点を有している。
【００１１】
他の実施態様では、光源を通過する前記の横断面における反射器の外側表面は、放物線の複数の弧を備える形状を有している。その各々は、その面で光源の幾何学的な中心から実質的にオフセットされた焦点、及び／又は照明デバイスの軸に関して傾斜している軸を有している。
【００１２】
第一の実施態様では、反射器は、基本的に、回転放物面、楕円面、または双曲面の一部分の形状をなしていてもよい。他の補足的な実施態様は、回転放物面及び／又は楕円面及び／又は双曲面の連続した部分を好ましくは備える反射器を提供する。
【００１３】
その他の実施形態によれば、反射器は、基本的に、放物線及び／又は楕円及び／又は双曲線の断面を持ったそれらのトーラスの一つ以上の好ましくは連続した部分の形状をなしている。そして、光源は環状形状をなしており、回転放物面及び／又は楕円面及び／又は双曲面の断面を有するそれらのトーラスに共通した焦点の周囲に実質的に配置される。この場合、その光源は、好ましくは、蛍光灯のような円形のリングランプである。それは、例えば、オスラム社のFC55Wモデルまたはフィリップス社のTL K 60Wである。
【００１４】
さらに他の実施形態では、好ましくは、反射器は、放物線及び／又は楕円及び／又は双曲線の断面をしたシリンダの好ましくは一つ以上の連続した部分の形状を基本的になしている。そして、したがって、光源は線形形状をなしており、放物線及び／又は楕円及び／又は双曲線の断面をした前記のシリンダに対する共通の線形の焦点に基本的に配置される。かかる反射器において、放物線及び／又は楕円及び／又は双曲線の断面を有するシリンダの前記部分の各末端は、基本的に、回転放物面及び／又は楕円面及び／又は双曲面の一つ以上の部分の形状で、対応するターミナルの部分を有していてもよい。
【発明を実施するための最良の形態】
【００１５】
本発明のさらなる特徴および利点が、添付した図面を参照して、単に非限定的な例として提供されている以下の詳細な説明から明白になるであろう。
【００１６】
図１では、本発明に係る照明デバイスは、総じて1で示される。
【００１７】
このデバイス1は、発光源2(例えば白熱灯、蛍光灯、又はハロゲンランプ)を備える。
【００１８】
総じて3で示された中空の反射器は、発光源2と関連している。
【００１９】
反射器3は、透明な材料(例えばガラス、ポリカーボネート、又はポリメタクリル酸メチル（polymethylmethacrylate）)から作られている。
【００２０】
反射器3は、光源2に近い内側表面4および光源2から離れた外側表面5を有している。
【００２１】
反射器3の内側表面4は、複数の隣接した段差部6を形成する断面が不連続な形状(profile)を有している。そのそれぞれが、光源2から発せられた光線が通り抜ける第一の面6aと、光源から発せられて反射器3の外側表面5から反射した光線が通過する光源2から発せられる光線と基本的に平行な第二の面6bと、を有している。
【００２２】
好ましくは、段差部6は、反射器3の厚さが、最大6mmと最小3mmとの間に位置するように構成されている。段差部6の間接の（consequent）寸法は、反射器形状を容易に製造することができ、それと同時に審美的な観点から見て非常に特有の特徴を備えることを保証する。
【００２３】
他の段差部6は、反射器3の厚さが最大5mmと最小4mmとの間に位置するように構成されている。この場合、段差部の寸法をより小さくすると、それらの反射特性を変えることはないが、可視性を実質的に不十分にする。この実施態様の利点は、成形を非常に容易にすることである。
【００２４】
好ましくは、反射器3は、成形(例えば射出成形)によって作られる。その内側表面4の段差部の面6a，6bの傾斜は、製造に用いられる金型から反射器を容易に取り出すことを可能にするようになっている。
【００２５】
好ましくは、反射器の内側表面4の段差部6の面6a，6bは、下に述べられる基準に基づいて一緒に接続される。
【００２６】
反射器の外側表面5は、所望の照明デバイスから出たビームの形および強度分布にその形が一般に依存する図１に示された横断面の形状(profile)を有している。
この形状は、
1)光源と実質的に一致するそれらの焦点を有する共軸の放物線の一つ以上の弧と、
2)非共軸の放物線及び／又は光源から適切にオフセットされた焦点を備えた一つ以上の弧と、
3)照明デバイスの寸法上の制約によって選択されたような、楕円または双曲線の一つ以上の弧と、を実質的に備えている。
【００２７】
一般に、ビームの発散は、反射器3の外側表面5の形状に依存するだけでなく、反射器3の内側表面4上の段差部の面6a，6bの傾斜および光源2のサイズにも依存する。
【００２８】
好ましい実施態様では、反射器の外側表面5は、実質的に楕円の曲線の弧を備える図１に示される横断面の形状を有している。そして、図１に図示された特定の例において、ポイントAで出会う楕円の２つの弧5a，5bを有する。反射器の外側表面5の形状の楕円または部分のこれらの弧は、光源2の幾何学的な中心と実質的に一致する対応する第一の焦点F1を有している。反射器の外側表面5の形状の弧5aが属する楕円E1は、図１において点線で示されている。楕円E1はポイントF2で第二の焦点を有している。
【００２９】
楕円の弧5bは、楕円(図１には不図示）に属している。その楕円は、ランプまたは光源2の幾何学的な中心F1と一致する焦点と、反射器3の外側及び下側に位置する他の焦点(不図示)と、を有している。
【００３０】
第二の焦点の場所は、下に明示されるように、外側表面5を照らす光線が全反射で反射されるように、幾何学的条件の充足を保証するようになっており、それと同時に、ビームの発散を制御することを可能にするようになっている。反射器に近い焦点は著しい発散を生じさせる。光学軸O-Oからある量でオフセットされた焦点は、光線を非常に大規模な角度で反射させるようにする。
【００３１】
好ましい実施態様では、楕円の弧の間の接続ポイントAは、実質的に放物線であるが必ずしも放物線ではない形状に存する。この提案された実施態様の利点は、デバイスによって反射された光の最大の開散角よりも小さな角度(光学軸O-Oに関して)で照明デバイスを観測者が見るときに、彼の目がすべての様々な楕円のセクターから発せられた光を受け入れて、それが低い局所的な輝度値、および反射器の出口表面に対するより均一な輝度分布に帰着するということに存する。図９に示されるように、生成された視覚的な感覚は、光源の多重の複製を見ることである。それぞれは、楕円の弧に関連した反射器の部分によって生成される。実質的に連続的な曲率(例えば、単一の放物線、楕円、又は双曲線)を備えた外部の反射器表面を用いて、この効果は達成することができない。同様の効果は、双曲線のいくつかの弧を用いて達成することができる。この場合、双曲線の前記弧の各々に対する第二の焦点は、仮想である。
【００３２】
反射器3は、発光源2から出る光線が、その内側表面4の面6aに入射され、その外側表面5を照らす（strike）ようにそれによって反射されるように構成され且つ配置される。表面5では、光線は、全反射を受け、これらの光線が全反射を受けた形状5aまたは5bの部分が属する楕円の第二の焦点に向けて第一の近似の方向に、その内側表面4の面6bによって反射器の外部に再出現する。
【００３３】
全反射の状態では、このように反射された光線のエネルギーの実質的な保存が保証される。
【００３４】
反射器の内側表面4の面6bの表面は、好ましくは、上に記載された伝播の形式に従う代わりに、それを直接に照らす光源2から出現する光を防ぐように構成される。
【００３５】
反射器3の外側表面5の楕円形状を有する部分または各部分の第二の焦点は、基本的に、反射光線がユーザにとって事実上分岐するように見える領域に相当する。
【００３６】
図２において例として示された第一の実施態様では、反射器3は、基本的に回転楕円面の一部分の形状をなしており、図１に図示された反射器の断面を軸O-Oを中心にして回転させることによって例えば得られる。この場合、発光源2は、白熱灯、ハロゲンランプまたはコンパクトな蛍光灯のような集中（concentrated）光源である。
【００３７】
図３〜５に図示された異なる実施態様では、反射器3は、赤道面と平行な面で実質的に切断された実質的に楕円の断面を有するトーラスの一部分の形状を基本的になしており、図１に図示された反射器の断面を軸O-Oと平行な軸を中心にして回転させることによって例えば得られる。発光源2(図４および５)は、環状形状をしており、楕円の断面を有する前記トーラスの焦点の周囲に沿って基本的に配置される。
【００３８】
再び、図３〜５の実施態様では、反射器3の外側表面5の横断面における形状は、発光源2が延在する焦点の周囲に沿って、共通の焦点を有する実質的に楕円の曲線の一連の弧を備える。
【００３９】
図１１は、反射器3が実質的に楕円の断面を有するトーラスの一部分の形状を基本的になしており、発光源2が環状形状をなしている本発明に係る照明デバイスの実施態様を示す。
【００４０】
図３〜５及び図１１における反射器の実施態様は、地面上で測定された光束（flux）と、光源によって放射された光束との間の比率として理解される、およそ84%の効率を保証することができる。
【００４１】
図１３および１４において、反射器3は、楕円の断面を有するシリンダの一部分の形状を実質的になしており、図１での断面の面に垂直な軸に沿って図１に図示された反射器の(完全な)断面を数学的に「押し出す（extrude）」ことにより得られる。発光源2は線形形状をなしており、楕円の断面を有する前記シリンダに対する焦点の直線に沿って基本的に位置する。図１３および１４に特に図示された実施態様において、楕円の断面を有するシリンダの部分の各末端で、反射器3は、基本的に回転楕円面の半環状の部分の形状をなした、対応するターミナルの部分3a，3bを有している。
【００４２】
さて、図１を再び参照すると、そこに図示された反射器3は、第一の焦点F1に関して前記の焦点F2の側に、
1)完全に開いており、
2)透明な接続表面で閉じられて、
3)少なくとも一つの部分が拡散している接続表面で閉じられている、
開口7を有している。
【００４３】
このように、光源から上方に放射された光は、例えば、部屋の天井を照らすために用いられる。
【００４４】
他の実施態様として、この開口は、図１の点線によって模式的に示されるように、縮閉線形状8で閉じられていてもよく、反射する材料(例えばアルミニウム、銀)でその外側表面をコーティングされる。その結果、光源2が上方へ放射する光線は、回収されてまた下方に変更される。
【００４５】
他の実施態様として、図１５に単なる実施例として図示されているように、前記開口は、不連続な形状を備えた少なくとも一つの横断面を有する外側表面42に接続壁によって閉じられてもよい。その結果、反射器3の内側表面41を通過した後に、光源2によって接続壁の方へ放射された光線は、前記の不連続な形状の各歯状部43の二つの面43a，43bで二重の全反射を受ける。したがって、実質的に内側に反射され、内側表面41を通って接続表面から再び現れる。
【００４６】
天井に取り付ける場合には、上述した配置が、下方へ反射された光の異なったパーセンテージまたは天井の方へ向いた光のパーセンテージで異なる。
【００４７】
実施例によるデバイスの特定の形状を考えると、外部の反射表面(反射率、直接法で、0.8)を備えた縮閉線の場合には、84%の効率が床上で達成される。しかし、縮閉線がこのコーティングを有しないならば、効率はおよそ55%である。全反射を備えた縮閉線の配置を採用すると、床上での70%の効率が達成される。
【００４８】
図１に係る反射器3の上部に関してちょうど記載されたものは、図３〜５および１３に図示された実施態様による照明デバイスの反射器3、14に、必要な変更に応じて、適用する。
【００４９】
反射材料(反射率が0.85)でコーティングされた上部の縮閉線を備えた図３〜５に係る照明デバイスに関して、図６は、開口から1.6mの距離にある対応する照明ダイアグラムを示している。また、図７は後部(posterior)の縮閉線から0.6mの距離での照明ダイアグラムを示している。後者が透明なときに、図８は後部(posterior)の縮閉線から0.6mの距離での照明ダイアグラムを示している。
【００５０】
反射材料(反射率が0.85)でコーティングされた上部の縮閉線を備えた図３〜５に示された照明デバイスに関して、図９は、垂直方向の照明ダイアグラムを示している。それは、光源が点灯したときに、それを下から見る観測者の目の中の反射器によって採用された外観である。
【００５１】
さて、図１を再び参照する。主要な開口、すなわちその像を観察する人のための下部の口9は、完全に開いた状態のままであるか、あるいは例えば、少なくとも一部分で透明又は拡散している表面によって囲まれている。その部分は、例えば、反射器3が下から観察されるときに、光源の直接の像を防ぐために光源によってその表面に投影された垂線（normal）を囲んでいる。
【００５２】
他の実施形態として、反射器3の開口9が透明なダイアフラム10(図１０の断面に示される)で囲まれている。その表面がマイクロレンズ11によって完全にまたは少なくとも部分的にカバーされている。典型的に、2mm以下の直径を有している。光源の分散した多数の虚像を作成することができる。その結果、デバイスの出口面で輝度の均一性を増加させ、局所的な明るさおよびまぶしさ（glare）を低減し、少なくともいくつかの視角から、観者による光源2を直接に見ることをマスクする。
【００５３】
囲っている壁10の末梢部は、好ましくは、4°乃至8°の角度で傾斜している。中央部が大きな厚さを有している。その結果、大きな角度での輝度分布をより上手く制御することが可能になる。
【００５４】
反射器3の主要な開口の閉鎖に関する上記考察は、必要な変更に応じて、図３〜５、１３および１４に係る照明デバイスの反射器に適用する。
【００５５】
図１６を参照する。本発明に係る照明デバイス1では、反射器3の外部に、第二の光学部材103を設けることが可能である。第二の光学部材103は透明な材料から作られているか、又は、その内側表面上に反射材料でコーティングされている。そして、次の二つの機能を発揮するように構成されている。
1)ほこりの堆積や、その光学特性に対して悪影響を及ぼす湿気または他の薬剤から反射器3を保護すること。
2)光源２から放射された光線の一部分の光学距離を上方または下方に逸らせて、反射器3内での次の多重反射は、自由な方法で反射器3の外側表面を避けて、大きな角度での輝度を増加させること。
【００５６】
光源2を通過する少なくとも一つの横断面において、光学要素103は、
1)お互いに実質的に平行な二つの曲線と、
2)大きな角度での輝度を含むために、出口9の方に向かって間隔が増加して、自由な方法で反射器3から出た光線の一部分を下方へ逸らせる二つの曲線と、
3)自由な方法で反射器3から出た光線の一部分を上方へ逸らせるために出口9からの距離とともに間隔が増加する二つの曲線と、
4)複数の隣接した段差部106を形成する少なくとも一つの不連続線であって、その各々が、大きな角度での輝度を低減するために適切に傾いた光源に面して、入射な光線の一部分を下方または上方に逸らせる面106aを有している不連続線と、
を含む形状を断面に有している。
【００５７】
光学要素103は、
1)O-O軸を中心にして図１の反射器形状の回転によって得られた図２での配置における反射器3であって、光学要素103が、同じO-O軸を中心にして図１６の形状を回転させることによって得られる反射器3と、
2)図３〜５に配置された反射器3であって、光学要素103が、前記図の構成と同じでありO-O軸と並行な軸を中心にして図１６の形状を回転させることによって得られる反射器3と、
3)図１３及び１４の構成の反射器3であって、光学要素103が図１６の形状の並進運動によって得られる反射器3と、
に関連している。
【００５８】
図１１の照明デバイスでは、反射器3の主な開口は、基本的に光学軸O-Oに並行であり光学軸O-Oに共軸でありまたは反射し、光源２によって放射された光が、光学軸O-Oに関して小さな角度で下方に反射されるように適切に形成されている、複数の縦方向の壁13を含む構造12に関連している。壁15は、複数の不透明又は反射する半径方向の壁、又は隔壁15によって接続され、光源によって放射された光が光学軸O-Oに関して小さな角度で下方に反射されるように適切に形成されている。好ましくは、構造12は、60°より大きな視角で光源2を直接に見ることを防ぐように構成されており、輝度を制御することを可能にし、60°より大きな視角で200cdm-2未満にする(「暗い光」タイプのデバイス)。
【００５９】
同様の配置は、図１３及び１４の照明デバイスの場合には採用することができる。この場合、不透明か反射する多くの基本的に垂直の壁の列に対して提供される。垂直の壁の列は、光源によって放射された光が光学軸に関して小さな角度で下方に反射され、発光源2の軸に並行な方向に配置され、光源の軸と並行な縦方向の壁によって交差しているように適切に形成されている。この配置の目的は、60°より大きな視角で光源を直接に見ることを防ぐことである。
【００６０】
図１１の照明デバイスに関して、視角に関して、反射器3の出口開口で測定された対応する平均輝度曲線を示していることを図１２が示しており、それは、200cdm-2の限界が60°より大きな視角で達することを示している。
【００６１】
本発明に係る照明デバイスは、天井から吊されるかまたは、図１７および１８に実施例として示された標準的な荷重負担（load bearing）構造のアームから吊されるかのに適している。標準的なものを示した実施態様において、総じて20で示されているように、この標準的なものが下部の支持ベース21を備えている。直立体22が、支持ベース21から垂直方向に延在している。直立体22の上部から、複数のアーム23が延在する。照明デバイスの先端で、例えば、前に図１１に記載されたタイプのものが吊される。
【００６２】
もちろん、本発明の原理を変更せずに、実施態様および構成の細部は、添付した請求項で規定される発明の範囲を逸脱することなく、単に非限定的な例として記載され図示されたものと比較して広く修正することができる。
【図面の簡単な説明】
【００６３】
【図１】光源を通過する横断面での、本発明に係る照明デバイスの部分図である。
【図２】本発明の好ましい実施態様に係る照明デバイスの横断面図である。
【図３】本発明に係る照明デバイスの斜視図である。
【図４】図３に図示された照明デバイスの側面の正面図である。
【図５】図３および4の照明デバイスのベースからの斜視図である。
【図６】図３〜５の照明デバイスの開口より1.60m下に位置した面での照明のダイアグラムである。
【図７】図３〜５の照明デバイスの反射する縮閉線（evolute）より0.60m上に位置する面での照明のダイアグラムである。
【図８】図７の条件下にあるが透明な後部(posterior)の縮閉線を備えた照明のダイアグラムである。
【図９】その下に位置した観測者によって知覚されるように、図３〜５の照明デバイスの局所的な輝度形状である。
【図１０】本発明に係る照明デバイスの反射器の開口に適合することができる透明な閉鎖要素を示す部分断面図である。
【図１１】図４に図示されたものに類似した斜視図であり、その反射器の開口において明るさ制御構造を備えた照明デバイスを示す。
【図１２】明るさ制御構造を備えた反射器の開口で測定された平均輝度のダイアグラムを示す。
【図１３】線形タイプの発光源を備える本発明に係る照明デバイスの他の実施形態の上からの斜視図である。
【図１４】線形タイプの発光源を備える本発明に係る照明デバイスの他の実施形態の下からの斜視図である。
【図１５】透明な後部の形状の一つの可能な形を示す本発明に係るデバイスの反射器の部分断面図である。
【図１６】反射器の外側に第二の光学要素を備える本発明に係るデバイスの可能な配置の部分図である。
【図１７】図１０に図示されたタイプに標準で複数の照明デバイスを実質的に備える照明デバイスを示す斜視図である。
【図１８】図１７での照明デバイスの一部を拡大したスケールで示す斜視図である。
【符号の説明】
【００６４】
１  照明デバイス
２  発光源
３  反射器
４  内側表面
５  外側表面
６  段差部
８  形状
９  開口
１０  ダイアフラム
１１  マイクロレンズ
１２  構造
１５  隔壁
４３  歯状部
１０３  光学要素
１０６  段差部
【図１】
2005123190.tif 000003
【図２】
2005123190.tif 000004
【図３】
2005123190.tif 000005
【図４】
2005123190.tif 000006
【図５】
2005123190.tif 000007
【図６】
2005123190.tif 000008
【図７】
2005123190.tif 000009
【図８】
2005123190.tif 000010
【図９】
2005123190.tif 000011
【図１０】
2005123190.tif 000012
【図１１】
2005123190.tif 000013
【図１２】
2005123190.tif 000014
【図１３】
2005123190.tif 000015
【図１４】
2005123190.tif 000016
【図１５】
2005123190.tif 000017
【図１６】
2005123190.tif 000018
【図１７】
2005123190.tif 000019
【図１８】
2005123190.tif 000020